(57)【要約】【課題】充填されたスパウト付きパウチ、具体的には無菌充填されたスパウト付きパウチの製造に対するコスト効果に優れる解決策を提供する【解決手段】充填機、プラグと、キャップにより流動型の製品で充填されるスパウト付きパウチの組み合わせ。締りばめプラグは、スパウト本体の上部にネック上端に取り外し可能に取り付けられ、スパウト本体における製品流路を密封する。プラグは、充填機により取り外され、パウチ充填後にプラグをスパウトのネックに再び押し込むことで再装着するように適合されている。プラグの取り外し、パウチの充填、そしてプラグの再装着の作業はすべて無菌環境で行われることが好ましい。キャップは、パウチを充填してプラグをネックに再装着した後に設置される。キャップの取付けは、非無菌環境においてキャッピング機により行うことが好ましい。【選択図】図５
2020055647.tif 000002
【特許請求の範囲】
【請求項１】
手動開封可能キャップ付きの無菌充填されたスパウト付きパウチ（１）を製造するための方法であって、前記方法は、
空のスパウト付きパウチを製造するステップであって、各スパウト付きパウチは、
柔軟な素材のパウチ本体（１０）と、
プラスチックの成形スパウト本体を備えたスパウト（２０）であって、前記スパウト本体の下部にパウチにパウチ本体に接続する接続部（２１）を有し、前記スパウト本体の上部には筒状のネック（２２）を有し、
前記ネックは、少なくとも製品流路（２４）の一部を区切る内面（２３）を有し、前記製品流路は、下部の製品流路口（２５）から前記スパウト本体を通り、前記ネックの上部にある口（２６）に延び、前記ネックは、さらに外面（２７）を有し、
前記ネック（２２）の上部の表面は、環状密封面（２７ａ）を構築し、
前記スパウト本体の上部の下に、一体成形のキャップ接続構造（２８）が設けられた、スパウト（２０）と、
前記ネックの上部に締りばめ方式で取り外し可能に取り付けられた締りばめプラグ（５０）であって、前記プラグは環状密封面を有し、これにより、前記プラグは前記ネックの前記環状密封面と協働することで前記ネックに密封状態を構築する、締りばめプラグと、
を備えるステップと、
複数の移送レールに空のスパウト付きパウチをグループ単位で収集するステップと、
前記スパウト付きパウチ（１０，２０）を載せた前記移送レールで放射線処理を行うステップと、
放射線処理済みの前記空のスパウト付きパウチを有する前記放射線処理された前記移送レールを無菌充填機に供給するステップと、
前記スパウト付きパウチを前記移送レールから前記充填機に排出するステップと、
前記スパウト付きパウチを滅菌噴霧室に移動することで、前記空のスパウト付きパウチの外面が滅菌されるステップと、
外部滅菌されたスパウト付きパウチを、充填機の無菌充填室に移動するステップと、
前記無菌室において、前記スパウト付きパウチの前記ネック（２２）から前記プラグ（５０）を取り外すステップと、
前記充填機の充填ノズル（２２０）により、前記無菌室において、前記スパウト付きパウチを、前記スパウト本体の前記製品流路を通して流動製品で充填するステップと、
無菌環境において、充填機のデバイス（２００）により、前記締りばめ方式のプラスチック製プラグ（５０）を充填されたパウチの前記ネックの上部に再装着するステップであって、前記ネックと締りばめが生じ、これにより、前記プラグ（５０）は、前記スパウト本体の前記ネックの上部に取り外し可能な方法で取り付けられ、スパウト本体の製品流路を密封する、ステップと、 
前記締りばめ方式のプラグで閉じた充填されたスパウト付きパウチを前記無菌室から取り出し、非無菌環境に移動するステップと、
を備え、前記方法は、
前記非無菌環境において、手動開封可能なねじ込み式キャップ（７０）を前記プラグ（５０）の上にかぶせることで、それぞれの前記キャップと前記スパウトの前記ネックのキャップ接続構造（７６，２８）の協働作動を起こし、それぞれの前記プラグと前記キャップのスナップフィット構造（５８，７８）を係合させて、前記プラグを前記キャップに結合させる、ステップをさらに備え、
協働するスナップフィット構造（７６，２８）は、前記プラグ（７０）を前記キャップ（５０）に結合し、これにより、前記キャップ（７０）を手動開封する際、前記プラグ（５０）が前記キャップに結合されたままとなり、前記キャップと共に外されることで前記製品流路（２４）を開き、前記充填されたパウチからの前記流動製品の供給を行うことを可能とする、方法。
【請求項２】
前記スパウト付きパウチを載せた前記移送レールは、放射線処理機に配置されたエンベロープ内でパッケージ包装される、請求項１に記載の方法。
【請求項３】
前記滅菌噴霧室は、過酸化水素霧で満たされているか、または過酸化水素霧が循環されている、請求項１または２に記載の方法。
【請求項４】
少なくとも前記空のスパウト付きパウチの前記ネックの上部を前記充填機の前記無菌室に移動する、請求項１〜３のいずれか一項に記載の方法。
【請求項５】
前記手動開封可能なねじ込み式キャップ（７０）がねじ込みキャップである、請求項１〜４のいずれか一項に記載の方法。
【請求項６】
前記手動開封可能なねじ込み式キャップ（７０）を前記プラグ（５０）の上にかぶせるステップは、前記キャップを前記プラグにねじ込むステップおよび／または押し込むステップを含む、請求項１〜５のいずれか一項に記載の方法。
【発明の詳細な説明】
【技術分野】
【０００１】
本発明は、スパウト付きパウチおよびその他の容器の流動製品による充填分野に関する。
【背景技術】
【０００２】
周知の方法では、スパウト付きパウチはキャップ無しで製造され、充填機およびキャッピング機に提供されて、ここでパウチが充填され、キャップがスパウトのネックに取り付けられる。多くの場合、パウチを閉じるために手動開封可能なねじ込みキャップが使用される。
【０００３】
例えば、WO201417134は、スパウト付きパウチが移送レールに収集される方法を開示している。開示では、充填後に、スパウト付きパウチはキャップにより密封される。開示では、充填機に移送される前にスパウト付きパウチにキャップが提供されることも想定されており、ここでは充填プロセスの前にキャップが取り外され、充填後に再装着される。代替方法として、キャップは、スパウト付きパウチとは独立した形で充填機に提供されることが開示されている。 
【０００４】
スパウト付きパウチに保存される流動製品、例えば食品は、充填されたスパウト付きパウチの無菌操作と密封に厳重な要件を要求する可能性がある。
【発明の概要】
【発明が解決しようとする課題】
【０００５】
本発明は、充填されたスパウト付きパウチ、具体的には無菌充填されたスパウト付きパウチの製造に対するコスト効果に優れる解決策を提供することを目的としている。
【０００６】
本発明はさらに、スパウト付きパウチを、具体的には無菌環境において高速充填する方法を提供することを目的としている。
【０００７】
本発明はさらに、充填機の高速充填の運用によりスパウト付きパウチの密封の完全性を損なわずに、および／または充填機の設計および運用への要求を低下させることなく、スパウト付きパウチの高速充填を可能とすることを目的としている。
【０００８】
本発明は、充填されたスパウト付きパウチ、具体的には無菌充填されたスパウト付きパウチの製造のためのコスト効果に優れた解決策を提供することを目的とし、実施形態において、組立プロセスが正しい方法で実行されたかどうかを確認する簡便なインラインコントロールを行う可能性も提供する。
【課題を解決するための手段】
【０００９】
上記に定めた一つ以上の目的を考慮した上で、本発明は、請求項１に記載するように、充填機により流動製品で充填されるよう適合されたスパウト付きパウチ、プラグおよびキャップの組み合わせを提供している。
【００１０】
本発明の解決策は、消費者により開封可能なキャップに滅菌処理を施す必要のない、無菌充填されたパウチの製造を可能とする。プラグの取り外し、流動製品によるパウチの充填、およびプラグの再装着は無菌環境内で行われ、キャップの組立ては非無菌環境、例えば、充填機の下流にあるキャッピング機で行うことが好ましい。このアプローチは、無菌環境を離れる前に充填されたパウチをプラグで密封するため可能である。 
【００１１】
好ましい実施形態において、無菌環境は、滅菌ガス、例えば、滅菌した空気の陽圧気流が存在する中で形成される。例えば、無菌環境は、充填機またはその一部を格納する室内に形成される。
【００１２】
請求項１の組み合わせはまた、キャップの取付けが無菌環境内で行われるプロセスでも使用されうることが理解される。しかし、これにはキャップの滅菌を必要とする。
【００１３】
請求項１のプラグは、ネックの外面を密封する。適切な充填機、具体的にはそのノズルとの組み合わせにより、流動製品と接触しないネックの表面上にこの密封を実現するという効果を達成することが可能である。これにより高品質の密封が強化される。さらに、充填機、例えば、その充填ノズルの実施形態において、充填機は、プラグの外面がネックを密封するネックの密封表面に接触しておらず、充填ノズルまたは充填機によってこのネックの密封表面が損傷する可能性が防止される。例えば、ノズルは、充填ノズルがプラグのこの外部密封表面と接触せずに、ネック内に延び、および／またはネックの上部を密封する。別の実施形態では、充填ノズルは、例えば、ネックの上部へのノズルの密封により、ネックの外部密封表面と接触してもよい。この後者の実施形態は、ノズルの接触面、例えば、その滑らかさおよび／またはノズルに対するネックの位置付けに関するさらなる要件を必要とする可能性がある。
【００１４】
実施形態において、プラグにより閉じられているがキャップはまだ組み立てられていない空のスパウト付きパウチは、無菌環境に入る前に事前滅菌処理を受けるか、または既に受けている。例えば、空のスパウト付きパウチは前記閉じられた状態で、パウチの内部も滅菌するという利点を持つ適切な放射線滅菌法により滅菌されている。他の滅菌方法、例えば、スパウト付きパウチに滅菌剤を外部噴霧する方法も利用可能である。充填機内に移ると、例えば、事前滅菌、例えば、放射線滅菌されたパウチとスパウトの外部は、充填機の無菌室に移る前にトンネル内で滅菌蒸気、例えば、過酸化水素で処理され、ここでプラグの取り外し、充填、およびプラグの再装着が行われる。
【００１５】
例えば、ネックに取り付けられたプラグを備えるスパウト付きパウチは、中間移送レール、例えば、パッケージ包装内に保持されている複数の移送レール上で収集され、その全体が空のパウチを滅菌するために放射線処理される。プラグはパウチを密封し、それにより、その外面の上部を含めて、パウチとネックが無菌状態で維持されることを保証する。
【００１６】
本発明は、無菌状態を必要とする用途、例えば、特定の食品や飲み物において主に利点を発揮するが、非無菌状態での充填用途にも利用できると理解するべきである。
【００１７】
パウチは、例えば多層ポリマー構造でもよく、例えば、一つ以上の金属または金属化された層を含むものでも、例えば、共押出または積層処理により形成することが可能である。
【００１８】
パウチは、例えば、その端部に沿って密封された二つのパウチパネルまたは壁で構成されてもよい。例えば、パウチは、例えば、充填されたパウチの直立を可能とするように具現化された、下部ガセット構造を備えている。その他のパウチのデザインも可能である。
【００１９】
パウチは、例えば、０．１〜０．５リットルの流動製品で充填される容器でありうるが、他の容積の容器も可能である。
【００２０】
実施形態において、プラグ本体は、プラグ本体の上部から下方に向けて延び、プラグがネックの上部に取り付けられる場合にネックの内面に摩擦係合する、一つ以上の芯出し部を備える。
【００２１】
実施形態において、プラグ本体は、例えば、ポストの円形状の列、例えば、円形状の三つ以上のポストなど、上部から下方に向けて延びる複数のポストまたはスタブを備える。
【００２２】
実施形態において、プラグ本体の芯出し部分は、プラグ本体の上部から下方に向けて延び、外部環状壁と同軸の内部環状壁を備え、この内部環状壁から形成されていることが好ましく、内部環状壁は、プラグがネックの上部に取り付けられている場合にネックの内面に摩擦係合し、プラグ本体の内部環状壁と外部環状壁は、その間に下方向に開いている環状の溝を画定し、この溝でネックの上部が受け入れられる。下記で詳しく説明するように、この実施形態は、例えば、実際のパウチの充填中に、充填機のプラグ保持構造のピン部分にプラグを一時的に支持することを可能とする。ピン部分はプラグの外壁の環状密封面から離れており、高速運用を行う場合でも、上記繊細な密封面が、密封の質を損なうプラグ保持構造により損傷されて品質が損われるリスクは存在しない。
【００２３】
実施形態において、一つ以上の芯出し部、例えば、内部環状壁は、外部環状壁を覆って下方に延び、例えば、前記一つ以上の芯出し部は、一つ以上の芯出し部のスパウト本体のネックへの導入を促進するために面取りされた下端を備える。これは、繊細な密封面を有するプラグ外壁がネックのスパウトと接触する前に、プラグをネックの中心に正しく位置付けることを可能とする。これは、充填機の高速運用という点で利点を提供し、充填機に対するスパウトの精密な位置付けの必要性を軽減する。内部環状壁は、スパウトのネックへの導入を促進するために面取りされた端部を外部に備えてもよく、プラグ保持構造のピン部分へのプラグの配置を促進するために面取りされた端部を内部に備えてもよい。
【００２４】
実施形態において、プラグ本体の上部は、上部周辺に延びる周辺溝を備え、一つの周辺溝を備えることが好ましい。例えば、この溝は、充填機のプラグ取り外しおよび／または再装着デバイスをプラグに結合できるよう適合されている。以下で詳しく説明するように、同一の溝は、キャップをプラグにスナップフィットする状況でも機能を果たしうる。他の実施形態においては、二つの機能のために別々の溝が提供されている。密封状態を構築する外部壁を慎重に取り扱うことが好ましいため、一つ以上の周辺溝を、外部環状壁ではなく上部に配置することが好ましい。例えば、高速運用するプラグ取り外しデバイスは、例えば、上部の方が外部環状壁よりも堅牢性に優れているため、外部環状壁の形状に悪影響を与えることなく上部の溝に係合しうる。
【００２５】
実施形態において、プラグ本体の内部環状壁には、存在する場合には、リブと溝が交互配置されて形成されたレリーフがその外面に設けられ、上記リブは、ネックの内面に摩擦係合する。例えば、これらのリブと溝は軸方向に延びる。リブが適切な寸法である場合、例えば、プラグがスパウトから誤って外れるリスクを軽減するために、ネックの内面との摩擦係合を補強できる。
【００２６】
リブと溝は、ネックの内面とプラグの内壁に密封がないように形成されることが好ましい。例えば、溝の間に形成される流路は、プラグがネックの上に押される際に、プラグとネックの間の圧力の上昇を抑える。例えば、リブの下端を面取りすることで、スパウトのネックへの導入が強化される。
【００２７】
実施形態において、プラグ本体の各スナップフィット構造は、プラグ本体の上部により構成される。このデザインは、スナップフィットに起因するキャップとプラグの間の負荷をプラグ本体の上部に集中させることで、外部環状壁にそのような負荷が実質的にないようにし、それにより外部環状壁によって提供される密封の品質への不要な影響が起きないようにする。
【００２８】
実施形態において、プラグ本体の上部は、上部の周りに延びる周辺溝を備え、プラグ本体の上部ショルダにより周辺溝の上限が定められ、キャップの一つ以上のスナップフィット構造は前記周辺溝に延びて、プラグ本体の前記上部ショルダの下で係合する。説明するように、充填機の適切なプラグ取り外しデバイスおよび／または再装着デバイスをプラグと係合させるために、同一の周辺溝を使用してもよい。
【００２９】
実施形態において、第一および第二キャップ接続構造は、一体成形されたねじ山である。
【００３０】
別の実施形態において、第一および第二キャップ接続構造は、キャップとスパウトのネックの間にスナップフィット接続を形成するように構成されている。例えば、ネックの外面に周辺スナップビードが提供され、キャップの内面に係合用周辺スナップビードまたはスナップボスが提供され、後者は前者の下で係合する。他のスナップ形式も可能である。
【００３１】
さらなる別の実施形態において、第一および第二キャップ接続構造は、バヨネット式コネクタを形成するように構成されている。
【００３２】
第一および第二キャップ接続構造が一体成形されたねじ山である実施形態において、プラグ本体の外部環状壁の外径は、筒状のネックの小径より小さく、キャップ上のねじ山の内径はプラグ本体の外部環状壁の外径より大きいことが想定されている。これは、キャップのねじ山がプラグの外壁に接触せず、または少なくともプラグの外壁に不要な負荷をかけることなく、キャップをプラグの上にかぶせ、それにより外部環状壁の形状と密封の品質の完全性を保護することを可能とする。
【００３３】
実施形態において、プラグ本体は、キャップ本体に結合される場合にプラグ本体の一つ以上の部分を表示する、好ましくは一体成形された、一つ以上の窓口を備える。例えば、請求項７の実施形態において、キャップ本体は、プラグ本体がキャップ本体に結合される時にプラグ本体の前記上部ショルダを表示する、一つ以上の窓口を備える。プラグ本体の一つ以上の部分を一つ以上の窓口から表示することは、例えば、組立完了後にプラグ本体が実際にキャップの下に存在するかどうかを確認する効率的なインラインチェックを可能にする。そのため、充填済みパウチの閉鎖体の単純な最終チェックを可能とする。また、実施形態において、キャップとプラグについて異なる色を使用し、窓口に、望ましい外観を作る可能性を与えることができる。
【００３４】
実施形態において、スパウト本体は、前記第一キャップ接続構造の下に、例えば、ネックの第一のねじ山の下に、ネックの周りに延びる上方と下方のフランジのペアを備える。当該分野で周知の通り、そのようなフランジはスパウト付きパウチの、例えば充填機を通る移送過程において使用でき、例えば、ネックは、上方フランジの一部が二つの平行レールまたはその他のガイド構造の上方を、下方フランジの一部が平行レールまたはその他のガイド機構の下にある状態で、平行レールまたはその他のガイド構造の間を通過する。WO2017171834に開示するように、これらのフランジはさらに、空のスパウト付きパウチを遠隔の充填機または遠隔の充填工場に移送するために使用される中間移送レールにスパウト付きパウチを保持するために使用してもよい。
【００３５】
当該分野で周知のように、実施形態において、前記上方および下方のフランジの中間にあるネックの一部分は、正反対の場所に平行垂直ガイドフェイスを備え、例えば、ネックを充填機のガイドスロットに誘導することを可能にする。
【００３６】
実施形態において、キャップは、キャップがスパウト付きパウチに取り付けられる時にキャップ本体のスカートの下端のタンパーエビデント構造が上方フランジの真上に設置されるように寸法が定められている。
【００３７】
実施形態において、キャップ本体のタンパーエビデント構造とスパウト本体上の係合用タンパーエビデント構造は、WO2014007612に開示される方法で構成されており、これを参照により本明細書に組み入れる。
【００３８】
実施形態において、キャップ本体は、外周を持つ上部壁を備え、キャップのスカートはこの外周から下方に向けて延びる。キャップ本体は、一つ以上の窓口を備えている。
【００３９】
実施形態において、一つ以上の窓口は、周方向に、例えば、上部壁の真下のスカートの一つ以上の細長いスロットとして構成されている。
【００４０】
例えば、この一つ以上の窓口は、プラグの上部のみを見えるようにし、プラグの外部環状壁は見えない。
【００４１】
別の実施形態において、一つ以上の窓口を上部壁に設けることができるが、好ましい実施形態においては、上部壁は中実であり、プラグを上から完全に覆い、上からプラグを表示したりアクセスを提供したりする窓口はない。
【００４２】
実施形態において、スカートの内面は、内側に突出する周辺スナップフィットレッジを備え、レッジは、キャップ本体の周辺ショルダの下で係合する、例えば、前記レッジは、一つ以上の窓口、例えば、スロット型の窓口の下端の区切りを定める。この実施形態は、プラグ本体をその上部に保持することを可能とし、それにより外部環状壁に対するスナップフィットの負荷が避けられる。スナップフィットは、一つ以上の窓口から確認できる。プラグ本体がキャップ本体内の最終位置に到達しない場合、これを一つ以上の窓口から、特に、上部壁の真下の細長いスロットとして設計されている場合に見ることができる。 
【００４３】
実施形態において、キャップの上部壁は、プラグの上面を完全に覆い、上からプラグへのアクセスはできない。 
【００４４】
実施形態において、キャップ本体は外周を持つ上部壁を備え、前記スカートは、前記外周から下向きに延び、キャップ本体は、キャップ本体の垂直な中心面に延び、前記上部壁の上に、スカートの外部に沿って延び、それにより、キャップ本体を補強し消費者によるグリップを向上させる、垂直パネルを備える。ユーザーがスパウト付きパウチを開封した際に維持されるべきキャップとプラグ本体の間のスナップフィットという点から、この補強は利点となりうる。パネルはまた、ここに表示するように、窒息リスク防止のためのデザインを提供するような寸法とすることもできる。例えば、キャップはEN71-1窒息リスクテスト用シリンダには適合しない。
【００４５】
別の実施形態において、一体成形されたキャップ本体は、一般的にはスカートと同心的でスカート周辺に放射線状に離間された、環状グリッピング壁を備え、一つ以上のウェブ部分が環状グリッピング壁をスカートに結合している。WO2014007612にその例が開示されている。例えば、一体グリッピング壁のあるキャップは、EN71-1窒息リスクテストシリンダに入るには適合しない。
【００４６】
本発明は、実施形態において、充填機により流動製品で無菌充填されるよう適合されているスパウト付きパウチとキャップの組み合わせにも関し、 
【００４７】
前記組み合わせは、
- 柔軟な素材のパウチ本体と、
-プラスチックの成形スパウト本体を備えるスパウトであって、前記スパウト本体の下端にパウチ本体に接続する接続部を有し、前記スパウト本体の上部には筒状のネックを有する、スパウトと、を備え、
ネックは、少なくとも製品流路の一部を区切る内面を有し、製品流路の少なくとも一部分は、下部の製品流路口からスパウト本体を通り、ネックの上部にある口に延び、ネックは、さらに外面を有し、 
-前記組み合わせは、スパウト本体のネックの上部に絞りばめ形式で取外し可能に取り付けられ、スパウト本体の製品流路を密封する締りばめプラグであって、プラグは、プラスチック素材で成形されているプラグ本体を有し、プラグ本体は上部と、下向きに延び、その間に下方向に開いている環状の空間を画定する同心的な内部環状壁と外部環状壁を有する、スパウト付きパウチを含み、
スパウトの筒状のネックの上部は、プラグ本体の前記環状空間に受け入れられ、
外部環状壁は、内側に突出するシールビードなどのような環状密封面を構成する内面を有し、
ネックの上部の外面は協働環状密封面を構築し、これにより、プラグの外部環状壁とスパウト本体のネックの間に密封状態を構築し、
内部環状壁は筒状のネックに適合する寸法であり、
スパウト本体のネックの外側には、その上部の下に、一体成形されたねじ山が設けられ、前記ねじ山は小径を有し、
プラグ本体の外部環状壁の外径は、筒状のネックのねじ山の小径より小さく、
プラグは、充填機により取り外され、パウチが流動製品で充填された後にプラグをネックに押し込むことで再装着されるように適合され、前記プラグの取り外し、充填、プラグの再装着は無菌環境で好ましく行われ、
前記組み合わせは、パウチの無菌充填およびネックへのプラグの再装着後に、スパウト付きパウチにキャップを取り付けるように適合された、手動開封可能なねじ込みキャップをさらに備え、
キャップは、熱可塑性素材で射出成形されたキャップ本体を備え、キャップ本体は、内面、外面、および下端部を有する環状スカートを含み、
スカートの内面の一部は、スパウト本体のネックの前記一体成形されたねじ山と協働する一体成形されたねじ山を備え、
キャップとプラグには協働スナップフィット構造が提供され、これにより、キャップは、プラグがスパウト本体のネックに取り付けられている時にスパウト本体にねじ込みまたは押込み式で固定され、その一方で、前記スナップフィット構造が係合してプラグをキャップに結合するようにスパウト本体のネックにプラグが取り付けられ、これにより、開封方向にキャップを回転した時、プラグがキャップに結合されたままで、キャップと共に外されることで製品流路を開き、充填されたパウチからの流動製品の供給を行うことを可能とし、
キャップは、スカートの下に、一体成形されたタンパーエビデント構造を備え、これにより、充填されたパウチを最初に開封する際にその証拠を視認でき、
スパウト本体は、そのねじ山の下に、キャップの前記タンパーエビデント構造と協働する一体成形された構造を備え、これにより、充填されたスパウト付きパウチを最初に開封する際に、タンパーエビデント構造が、例えば、前記構造の一つ以上の破壊可能なブリッジなどが初めて開封方向にキャップを回転した時に破れることで、前記初回の開封の証拠を確認する。
【００４８】
本発明はまた、手動開封可能なキャップ付きの無菌充填されたスパウト付きパウチの製造方法に関し、製造方法は、
- 空の、好ましくは事前滅菌が施されているスパウト付きパウチを充填機に提供するステップを備え、スパウト付きパウチは、
- 柔軟な素材のパウチ本体と、
- プラスチックの成形スパウト本体を備えたスパウトであって、前記スパウト本体の下部にパウチに接続する接続部を有し、前記スパウト本体の上部には筒状のネックを有する、スパウトと、を備え、
ネックは、少なくとも製品流路の一部を区切る内面を有し、製品流路は、下部の製品流路口からスパウト本体を通り、ネックの上部にある口に延び、前記ネックは、さらに外面を有し、
前記スパウト付きパウチは、
- 締りばめプラグ、を備え、
プラグは、スパウト本体の前記ネックの上部に、例えばその上に、またはその中に、取り外し可能に取り付けられ、スパウト本体の製品流路を密封し、プラグは、プラスチック素材で形成されているプラグ本体を有しており、プラグ本体は、上部と、例えば、外部環状壁などのスパウトの筒状のネックの上部分に取り付けるよう適合された下方に延びる環状壁とを有し、
プラグ本体の環状壁は、例えば内側または外側に突出するシールビードなどのような環状密封面を構成する表面を有し、
ネックの上部の表面は、協働環状密封面を構成し、これにより、前記プラグの環状壁とスパウト本体のネックの間に密封状態を構築し、
スパウト本体のネックの外面の上部の下に、一体成形された第一キャップ接続構造を有し、 
プラグは、充填機により取り外され、パウチを流動製品で充填後にプラグをネックに押し込むことで再装着するように適合され、 
製造方法は、
-少なくとも空のスパウト付きパウチのネックの端部分とプラグが充填機の無菌環境に配置されるステップ、をさらに備え、前記無菌環境内では、
- プラグは、充填機によりネックから取り外され、
- パウチは、スパウト本体の製品流路を通して流動製品で充填され、
- 充填されたパウチは、プラグをネックの上部に押し込みネックとの締りばめを起こしてプラグを再装着することで再び閉じられ、
製造方法は、
- スパウト付きパウチの無菌充填とプラグのネックへの再装着後に、スパウト付きパウチに組み立てるように適合されている手動で扱うことができるねじ込みキャップを設けるステップ、をさらに備え、 
キャップは、熱可塑性素材で射出成形されたキャップ本体を備えており、キャップ本体は、内面、外面、および下端部を有する環状スカートを含み、
スカートの内面の一部には、スパウト本体のネックの第一キャップ接続構造と協働するよう適合されている一体成形された第二キャップ接続構造が設けられ、
キャップ本体とプラグ本体には、協働スナップフィット構造が提供され、
キャップはスカートの下に一体成形されたタンパーエビデント構造を備えており、これにより、充填されたパウチを最初に開封する際にその証拠を視認でき、
スパウト本体は、第一キャップ接続構造の下に、一つ以上の一体成形されたタンパーエビデント構造を備えており、スパウトのタンパーエビデント構造は、キャップのタンパーエビデント構造と協働することで充填されたパウチを最初に開封する際にその証拠を視認でき、
プラグがネックの上部に再装着されている状態で、製造方法は、
- キャップ本体をプラグの上にかぶせるステップであって、第一と第二接続構造の協働作動を起こし、スナップフィット構造を係合させる、（例えば、前記かぶせるステップは、ねじ込むステップおよび／あるいは押し込むステップを含む）ステップ、をさらに備え、
協働スナップフィット構造は、プラグをキャップに結合し、これにより、キャップを手動開封する際、プラグがキャップに結合されたままで、キャップと共に外されることで製品流路を開き、充填されたパウチからの流動製品の供給を行うことを可能とする。
【００４９】
説明するように、方法はキャップを滅菌プロセスから免除することを可能にする。タンパーエビデント構造は小さな隙間や他の細かな特徴により滅菌が困難であることがよく知られているため、これは利点である。例えば、滅菌液や滅菌用蒸気が使用される場合、タンパーエビデント構造の角、ギャップまたはその他の溝に残留物が残らないことを保証するのは難しい。
【００５０】
実施形態において、プラグ取り外し前に、スパウト付きパウチの全体ではなく、プラグとスパウトのネックのみが滅菌され、前記滅菌された部分のみを、プラグのさらなる取り外し、充填、プラグの再装着作業を行う際に充填機の無菌環境に移動することが想定されている。
【００５１】
無菌である必要性がない場合、プラグの取り外し、充填、プラグの再装着のステップは非無菌環境で行ってもよいことが理解される。
【００５２】
スパウト、プラグおよび／またはキャップには、上記に説明する詳細の一つ以上が提供されうると理解するべきである。
【００５３】
実施形態において、キャップ本体をプラグの上にかぶせるステップは、非無菌環境、例えば、充填機の外で行われる。
【００５４】
実施形態において、充填機は、充填ノズルを備えており、充填ノズルは、スパウトのネックへの挿入のために適合されている前部を備え、充填ノズルは、プラグ本体の外部環状壁の環状密封面と係合するスパウトのネックの環状密封面に接していない。
【００５５】
実施形態において、充填機は、前記無菌環境において、プラグ取り外しデバイスおよび／または再装着デバイスを備え、デバイスは、プラグに係合する、例えば、プラグ本体（例えばプラグ本体の上部）の外面にある周辺溝に係合する。一つのデバイスで両方の作業を行うか、または各作業のために二つの個別のデバイスを使用することも可能であることを理解するべきである。
【００５６】
実施形態において、充填機は、前記無菌環境において、取り外されたプラグがスパウトのネックに再装着される前に、プラグを一時的に支持するように適合されたプラグ保持構造を備える。例えば、プラグは、プラグが取り外された元のスパウトに再装着される。他のアプローチにおいて、プラグは、充填機により充填された他のスパウト付きパウチに、例えば、次のスパウトに、再装着される。実施形態において、方法は、取り外されたプラグを前記プラグ保持構造で保持するステップを有し、例えば、前記プラグ取り外しデバイスおよび／または再装着デバイスは、前記プラグを取り外し、プラグを前記プラグ保持構造に移動させる、またはその反対の作業を行う、ステップを含む。
【００５７】
上記に説明したように、締りばめプラグが外部環状壁に提供され、その外部環状壁の内面は、スパウトのネックの外面の対応する密封面と係合することで密封シールを構築する環状密封面を形成することが好ましい。しかし、本発明の方法はまた、スパウトのネックの内面の対応する密封面と係合することで密封状態を構築する内部環状密封壁を有する締りばめプラスチックプラグとの組み合わせにおいても利点である。後者の実施形態においては、外部環状壁を持たないものが好ましい。内部密封する締りばめプラグの実施形態において、プラグ本体は、スパウトが閉じられている時に、スパウトのネックの上部に隣接する周辺ショルダを持つ上部を有することが好ましく、前記上部の直径はネックの上部の直径と最大限でも同じかそれ以下であることが好ましい。
【００５８】
プラグがネックの内面と密封するための内部環状壁を備えている実施形態においては、プラグ本体は、内部環状壁の下端に隣接するドーム部分または類似した部分を備えることが想定されている。例えば、プラグがネックに設置されている場合、ドーム部分はスパウトのネックにさらに深く誘導される。
【００５９】
実施形態において、プラグ本体は、プラグ本体の上部から下方に延びる一つ以上の芯出し部、例えばポストや上記で説明した内部環状壁を備え、プラグがネックの上部に取り付けられている場合にネックの内面に摩擦係合する。プラグ保持構造は、一つ以上の芯出し部と締りばめ方式で係合するよう適合されている。プラグ保持構造は、保持されたプラグの外部環状壁の環状密封面から離間していることが好ましく、これにより、特に高速充填機において、接触または結果として生じる損傷のリスクが回避される。
【００６０】
実施形態において、プラグ本体の一つ以上の芯出し部は、プラグ保持構造のピン部分を受け入れるための下方に開いている空間を定め、一つ以上の芯出し部が、ピン部分と締りばめ方式に係合する。これは、上記に説明したように、プラグ本体の環状密封面との不要な接触を避けつつ高速運用を可能とする。
【００６１】
実施形態において、プラグ本体の芯出し部は、プラグ本体の上部から下方に向けて延び、外部環状壁と同軸の内部環状壁を備えており、内部環状壁は、プラグ保持構造のピン部分を受け入れるための下方に開いている空間を定め、内部環状壁はピン部分と締りばめ方式に係合する。
【００６２】
本発明はさらに、請求項２１による、手動開封可能キャップ付きの無菌充填されたスパウト付きパウチの製造方法に関し、
製造方法は、
- 空の、好ましくは事前滅菌が施されているスパウト付きパウチを無菌充填機に提供するステップを備え、スパウト付きパウチは、 
- 柔軟な素材のパウチ本体と、
- プラスチックの成形スパウトであって、前記スパウトの本体の下部にパウチ本体に接続する接続部を有し、前記スパウト本体の上部には筒状のネックを有する、スパウトと、を備え、
ネックは、少なくとも製品流路の一部を区切る内面を有し、製品流路は、下部の製品流路口からスパウト本体を通り、ネックの上部にある口に延び、前記ネックは、さらに外面を有し、
前記製造方法は、
- 少なくとも空のスパウト付きパウチのネックの端部を充填機の無菌環境に配置するステップと、
- 無菌環境において、スパウト付きパウチを、スパウト本体の製品流路を通して流動製品で充填するステップと、
- 無菌環境において、充填機のデバイスにより、滅菌済みの締りばめ方式のプラスチック製プラグを充填されたパウチのネックの上部に配置するステップであって、プラグをネックの上部に押し込むことで、ネックとの締りばめを生じさせ、これにより、プラグはスパウトのネックの上部に取り外し可能に取り付けられて、スパウト本体の製品流路を密封するステップと、を備え、 
プラグは、プラスチック素材で形成されたプラグ本体を有し、プラグ本体は、上部と、前記スパウトの前記筒状のネックの上部に取り付けるように適合されている下方に向けて延びる環状壁、例えば、外部環状壁を有し、
環状壁は、内側に突出するシールビードなどのような環状密封面を有し、
ネックの上部の外面または内面は、協働環状密封面を構築し、これにより、プラグの環状壁とスパウト本体のネックの間に密封状態を構築し、
スパウト本体のネックの外面の上部の下には、一体成形された第一キャップ接続構造が設けられ、
- 前記締りばめ方式のプラグで閉じた充填されたスパウト付きパウチを無菌環境から取り出し、非無菌環境に移動するステップと、を備え、
製造方法は、
- スパウト付きパウチの無菌充填とプラグのネックへの配置後に、スパウト付きパウチに組み立てるために適合されている、手動で扱うことができるねじ込みキャップを設けるステップと、をさらに備え、 
キャップは、熱可塑性素材で射出成形されたキャップ本体を備えており、キャップ本体は、内面、外面、および下端部を有する環状スカートを含み、
スカートの内面の一部には、スパウト本体のネックの第一キャップ接続構造と協働するよう適合されている一体成形された第二キャップ接続構造が設けられ、
キャップ本体とプラグ本体には、協働スナップフィット構造が提供され、 
キャップは、スカートの下に一体成形されたタンパーエビデント構造を備えており、これにより、充填されたパウチを最初に開封する際にその証拠を視認でき、
スパウト本体は、第一キャップ接続構造の下に、一つ以上の一体成形されたタンパーエビデント構造を備えており、スパウトのタンパーエビデント構造は、キャップのタンパーエビデント構造と協働することで充填されたパウチを最初に開封する際にその証拠を視認でき、
締りばめプラグで閉じた充填済みのスパウト付きパウチを無菌環境から取り出した後で、製造方法は、非無菌環境において、
- キャップ本体をプラグの上にかぶせるステップであって、第一および第二接続構造の協働作動を起こし、スナップフィット構造を係合させる、例えば、前記かぶせるステップは、ねじ込むステップおよび／あるいは押し込むステップと、をさらに備え、
協働スナップフィット構造は、プラグをキャップに結合し、これにより、キャップを手動開封する際、プラグがキャップに結合されたままで、キャップと共に外されることで製品流路を開き、充填されたパウチからの流動製品の供給を行うことを可能とする。
【００６３】
この方法は、例えば、スパウト付きパウチが、キャップが後ほど取り付けられるプラグ以外の別の閉鎖構造で、例えば、スパウトのネックの上への取り外し可能かつ使い捨て型のフォイル閉鎖体で最初に閉じられる実施形態を扱う。例えば、このようなフォイルは、事前生産された空のスパウト付きパウチが放射線処理され、充填機の無菌環境において取り外され、廃棄される時に存在する。充填後、プラグはネックに配置され、前記プラグは説明した外部環状壁を有し、その後に充填され、閉じられたパウチが無菌環境から取り出されることが好ましい。次にキャッピング機はキャップを取り付け、プラグとキャップはスナップフィットで係合され、キャップはねじ山、バヨネット式、またはダイレクトスナップフィットでスパウトのネックに係合される。
【００６４】
この方法はさらに、空の開いているスパウト付きパウチが充填機に送られ、最初に、少なくとも内部が滅菌処理を受ける、例えば、パウチの内面の滅菌ガスまたは蒸気による滅菌が行われる実施形態を扱う。その後、滅菌されたパウチまたはそのネック部分は無菌環境に導入され、次にパウチが充填される。上記に段落と同様に、充填後にプラグとキャップが提供されうる。
【００６５】
スパウト、プラグおよびキャップは、本明細書に説明するさらなる特徴を一つ以上有する可能性があることを理解するべきである。
【００６６】
本発明はさらに、好ましくは無菌充填された、手動開封可能キャップ付きの充填されたスカウト付きパウチの製造方法に関し、 
製造方法は、
- 空の、好ましくは事前滅菌が施されているスパウト付きパウチを無菌充填機に提供するステップを備え、スパウト付きパウチは、 
- 柔軟な素材のパウチ本体と、
- プラスチックの成形スパウト本体を備えたスパウトであって、スパウトの本体は、スパウト本体の下部にパウチに接続する接続部を有し、スパウト本体の上部には筒状のネックを有する、スパウトと、を備え、
ネックは、少なくとも製品流路の一部を区切る内面を有し、製品流路は、下部の製品流路口からスパウト本体を通り、ネックの上部にある口に延び、前記ネックは、さらに外面を有し、
ネックの上部の外面は、環状密封面を構成し、これにより、プラグの外部環状壁とスパウト本体のネックの間に密封状態を構築し、  
スパウト本体のネックの外側の上部の下には、一体成形されたキャップ接続構造が提供され、 
- 少なくとも空のスパウト付きパウチのネックの上部が充填機の無菌環境に配置されるステップと、
- 前記無菌環境内で、前記充填機の充填ノズルにより、スパウト付きパウチを、スパウト本体の製品流路を通して流動製品を充填するステップと、を備え、 
前記充填ステップにおいて、充填ノズルは、スパウトのネックの外面と接しておらず、少なくともその環状密封面と接しておらず、
- 前記無菌環境において、充填機のデバイスにより、滅菌済みの締りばめ方式のプラスチック製プラグを充填されたパウチのネックの上部に配置するステップであって、プラグをネックの上部に押し込むことで、ネックとの締りばめを生じさせ、これにより、プラグは取スパウトのネックの上部に取り外し可能に取り付けられて、スパウト本体の製品流路を密封するステップと、を備え、 
プラグは、プラスチック素材で形成されたプラグ本体を有し、プラグ本体は、上部と、スパウトの筒状のネックの上部に取り付けるように適合されている下方に向けて延びる外部環状壁を有し、
環状壁の内面は、スパウトのネックの密封面と協働する、内側に突出するシールビードなどの環状密封面を構成し、
- 締りばめ方式のプラグで閉じた充填されたスパウト付きパウチを無菌環境から取り出し、非無菌環境に移動するステップと、を備え、
製造方法は、
- 前記無菌環境において、手動開封可能なねじ込み式キャップをプラグの上にかぶせるステップであって、キャップとスパウトのネックそれぞれのキャップ接続構造の協働作動を起こし、プラグとキャップそれぞれのスナップフィット構造を係合させて、プラグをキャップに結合させる（例えば、前記かぶせるステップは、ねじ込むステップおよび／あるいは押し込むステップを含む）ステップと、を備え、
キャップは、熱可塑性素材で射出成形されたキャップ本体を備えており、キャップ本体は、内面、外面、下端部を有する環状スカートを含み、
スカートの内面の一部には、スパウト本体のネックの第一キャップ接続構造と協働するよう適合されている一体成形された第二キャップ接続構造が設けられ、
キャップ本体とプラグ本体には、協働スナップフィット構造が提供され、 
協働スナップフィット構造は、プラグをキャップに結合し、キャップを手動開封する際、プラグがキャップに結合されたままで、キャップと共に外されることで製品流路を開き、充填されたパウチからの流動製品の供給を行うことを可能とする。
【００６７】
スパウト、プラグ、およびキャップは、本明細書で説明した特徴の一つ以上を有する可能性があることを理解するべきである。
【００６８】
本発明はまた、流動製品用の容器、例えば、スパウト付きパウチのネックで組み立てられるように構成されている、プラグとキャップの組み合わせにも関する。この組み合わせは、スパウト付きパウチと併用するための本明細書に記載されたプラグとキャップを備えてもよい。プラグとキャップの同じ組み合わせは、ネックを有する他の容器、例えば、プラスチック製ボトルなどのネックを有するプラスチックで成形された容器、またはプラスチック製スパウトを備えるカートンなどにも利用でき、上記で説明されたのと同じ利点を提供することが想定されている。 
【００６９】
本発明によるキャップとプラグの組み合わせは、
- 締りばめプラグ、を備え、
プラグは、流動製品容器の筒状のネックの上部の上に締りばめ方式で取り外し可能な方法に取り付け、前記ネックを通る製品流路を密封するように適合されており、プラグはプラスチック素材で成形されたプラグ本体を有し、プラグ本体は、上部と、筒状のネックの上部にかぶせるように適合されている下方に向けて延びる外部環状壁とを有し、
外部環状壁は、環状密封面、例えば、内側に突出するシールビードを構築する内面を有し、環状密封面は、ネックの上部の外面の環状密封面と協働することで、プラグの外部環状壁とネックの間に密封状態が構築されるように適合され、
プラグは、充填機により取り外され、容器を流動製品で充填後にプラグをネックに押し込むことで再装着するように適合され、前記プラグの取り外し、パウチの充填、そしてプラグの再装着は、無菌環境で行うことが可能であり、
前記組み合わせは、
- 容器の充填およびネックへのプラグの再装着後に、容器に取り付けるように適合されている手動開封可能なキャップ、をさらに備え、
キャップは、熱可塑性素材で射出成形されたキャップ本体を備えており、キャップ本体は、内面、外面、および下端部を有する環状スカートを含み、
スカートの内面の一部には、ネックの上部の下の外面の第一キャップ接続構造と協働するよう適合されている一体成形された第二キャップ接続構造が設けられ、 
キャップ本体とプラグ本体には、協働スナップフィット構造が提供され、 
キャップ本体とプラグ本体は、プラグをネックの上部に再装着した状態で、キャップ本体をプラグの上に押し下げることで、第一および第二キャップ接続構造が協働し、スナップフィット構造を係合させて、プラグをキャップに結合させるように構成され、
プラグをキャップに結合する協働スナップフィット構造は、キャップを手動開封する際、プラグがキャップに結合されたままで、キャップと共に外されることで製品流路を開き、充填されたパウチからの流動製品の供給を行うことを可能とするように形成され、
キャップは、スカートの下に、一体成形されたタンパーエビデント構造を備えており、これにより、充填された容器を最初に開封する際にその証拠を視認できる。
【００７０】
キャップとプラグの前記組み合わせの実施形態において、キャップのスカートには、少なくとも正反対に位置する窓口が、例えばキャップの上部壁の真下に提供されており、プラグは、前記一つ以上の窓口に延び、および／またはキャップの内側で最終的な内向きのレッジ、例えば末端上で支持され、一つ以上の窓口の下端と整合されている、一つ以上のスナップフィット構造を備えている。
【００７１】
本発明はさらに、手動開封可能キャップ付きの無菌充填されたスパウト付きパウチの製造方法に関し、
製造方法は、
- 空のスパウト付きパウチを製造するステップであって、各スパウト付きパウチは、
- 柔軟な素材のパウチ本体と、
- プラスチックの成形スパウト本体を備えたスパウトであって、スパウト本体の下部にパウチにパウチ本体に接続する接続部を有し、スパウト本体の上部には筒状のネックを有する、スパウトと、を備え、
ネックは、少なくとも製品流路の一部を区切る内面を有し、製品流路は、下部の製品流路口からスパウト本体を通り、ネックの上部にある口に延び、前記ネックは、さらに外面を有し、
ネックの上部の表面は環状密封面を構築し、
スパウト本体のネックの外側の上部の下に、一体成形のキャップ接続構造が提供され、
-ネックの上部に締りばめ方式で取り外し可能に取り付けられ、プラグは、環状密封面を有し、これにより、プラグはネックの環状密封面と協働することでネックに密封状態を構築する、ステップと、
- 複数の移送レールにおいて空のスパウト付きパウチをグループ単位で収集するステップと、
- 前記スパウト付きパウチを載せた移送レールで放射線処理を行うステップであって、例えば、前記スパウト付きパウチを載せた前記移送レールは、放射線処理機に配置されたエンベロープ内にパッケージ包装されている、ステップと、
- 前記放射線処理された移送レールに、放射線処理済みの空のスパウト付きパウチを供給して無菌充填機に移送するステップと、
- スパウト付きパウチを移送レールから前記充填機に排出するステップと、
- 前記スパウト付きパウチを滅菌噴霧室、例えば、過酸化水素霧で充満されたまたは循環された部屋に移動することで、空のスパウト付きパウチの外面が滅菌されるステップと、
- 前記外部滅菌されたスパウト付きパウチを、充填機の無菌充填室に移動する、例えば、少なくとも空のスパウト付きパウチのネックの上部を充填機の前記無菌環境に移動するステップと、
- 前記無菌環境において、スパウト付きパウチのネックからプラグを取り外すステップと、
- 前記充填機の充填ノズルにより、前記無菌室において、スパウト付きパウチを、スパウト本体の製品流路を通して流動製品で充填するステップと、 
- 前記無菌環境において、充填機のデバイスにより、前記締りばめ方式のプラスチック製プラグを充填されたパウチのネックの上部に再装着するステップであって、ネックを締りばめを起こし、これにより、プラグは、スパウト本体のネックの上部に取り外し可能な方法で取り付けられ、スパウト本体の製品流路を密封する、ステップと、 
- 前記締りばめ方式のプラグで閉じた充填されたスパウト付きパウチを無菌室から取り出し、非無菌環境に移動するステップと、を備え、
製造方法は、
- 前記無菌環境において、手動開封可能なねじ込み式キャップ、例えばねじ込みキャップをプラグの上にかぶせることで、キャップとスパウトのネックのキャップ接続構造それぞれの協働作動を起こし、プラグとキャップのスナップフィット構造それぞれを係合させて、プラグをキャップに結合させる、例えば、前記かぶせるステップは、ねじ込むステップおよび／または押し込むステップを含む、ステップと、
協働スナップフィット構造は、プラグをキャップに結合し、これにより、キャップを手動開封する際、プラグが結合されたままで、キャップと共に外されることで製品流路を開き、充填されたパウチからの流動製品の供給を行うことを可能とするステップと、をさらに含む。
【００７２】
本発明の一つの態様に関連して述べた随意および／または好ましい詳細が、本発明の他の態様にも同様に適用されることを理解するべきである。 
【００７３】
本発明はさらに、本明細書で説明した、流動製品、例えば食品や飲料で充填され、プラグとキャップが提供されている容器、例えばスパウト付きパウチにも関する。
【図面の簡単な説明】
【００７４】
本発明について、添付図面を参照して説明する。
【図１】本発明による組み合わせの実施例を示し、未充填の空のスパウト付きパウチはプラグによって密封されている。
【図２】スパウトのネックからのプラグの取り外しと一時的プラグ保持構造を示す。
【図３】充填機の充填ノズルによる、開かれたスパウト付きパウチの充填を示す。
【図４】充填されたスパウト付きパウチへのプラグの再装着を示す。
【図５】充填されたスパウト付きパウチへのキャップの取付けを示す。
【図６】図１の組み合わせのスパウトを示す。
【図７】図１の組み合わせのスパウトを示す。
【図８】図１の組み合わせのスパウトを示す。
【図９】図１の組み合わせのプラグを示す。
【図１０】図１の組み合わせのプラグを示す。
【図１１】図１の組み合わせのプラグを示す。
【図１２】図１の組み合わせのプラグを示す。
【図１３】スパウトのネックへのプラグの締りばめの断面図を表す。
【図１４】図１の組み合わせのキャップを示す。
【図１５】図１の組み合わせのキャップを示す。
【図１６】キャップの第一断面図である。
【図１７】キャップの第二断面図を第一断面図と垂直に示す。
【図１８】キャップがプラグおよびスパウトのネックの上に取り付けられた断面図を示す。
【図１９】スパウト、プラグ、およびキャップが組み立てられた組み合わせを示す。
【図２０】スパウト、プラグ、およびキャップが組み立てられた組み合わせを示す。
【図２１】本発明の方法で使用する他のスパウト、プラグ、およびキャップの実施形態を示す。
【図２２】本発明の方法で使用する他のスパウト、プラグ、およびキャップの実施形態を示す。
【図２３】本発明の方法で使用する他のスパウト、プラグ、およびキャップの実施形態を示す。
【図２４】流動製品をスパウト付きパウチに無菌包装する本発明の方法の実施形態を表す略図である。
【発明を実施するための形態】
【００７５】
図１〜図５を参照すると、手動開封可能キャップ付きの無菌充填されたパウチの製造方法を最初に説明する。 
【００７６】
図１は、空のスパウト付きパウチ１を無菌充填機（非表示）に提供するステップを表す。空のスパウト付きパウチ１は、例えば放射線処理により、事前滅菌されている。
【００７７】
一般的に、充填機に提供される空のスパウト付きパウチは、柔軟な素材のパウチ本体１０、プラスチックスパウト２０、そして締りばめプラグ５０で構成されている。
【００７８】
プラスチックプラグ５０は、スパウト本体のネックの上部に取り外し可能に取り付けられ、スパウト本体の製品流路を密封する。
パウチ１は、この状態で充填機に導入され、少なくともスパウト２０とプラグ５０の部分が充填機の無菌環境、例えば、トンネルなどの無菌室に移る（または充填機自体が無菌環境に配置される）。
【００７９】
図２は、充填機によるプラグ５０のネックからの取り外しのステップを表し、ここではプラグ取り外しおよび再装着デバイス２００により図示している。
【００８０】
図２はさらに、取り外されたプラグ５０を一時的に保持するよう適合されたプラグ保持構造２１０の充填機内での提供を図示している。この保持構造２１０は、言及された無菌環境内に配置される。プラグの取り外しおよび再装着デバイス２００は、例えば、単にプラグを持ち上げることで、プラグ５０をネックから取り外し、次にプラグをプラグ保持構造に移送することが図示されている。その後にパウチに充填することができ、プラグ５０を同じスパウトに再装着できる。
【００８１】
例えば、充填機はカルーセル機であり、スパウト付きパウチは弓状の経路をたどり、充填ノズルとプラグ保持構造は移動するスパウト付きパウチと同時に移動する。別の実施形態において、プラグは、充填機により充填された他のスパウト付きパウチに再装着されることも可能である。
【００８２】
図３は、充填機の充填ノズル２２０によりスパウト付きパウチを充填するステップを示す。ノズル２２０は、漏洩を防止するためにスパウト２０と密封係合する。充填前にパウチは空であったため、充填前に空気を抜く必要はない。この充填ステップは無菌環境で行われる。
【００８３】
パウチ１が十分に充填されると、ノズル２２０はスパウト２０から離れる。その後、図２に示すように、プラグ５０は保持構造２１０から取り外され、スパウト２０に再装着される。プラグ５０をネックの上部に押し込むことで、ネックとの締りばめが構築される。充填されたパウチ１は、図４に示すように、プラグ５０により密封される。
【００８４】
図５は、パウチの無菌充填とプラグのネックへの再装着後に、スパウト付きパウチ１に手動開封可能なプラスチックキャップ７０が取り付けられたものを表す。このステップは、非無菌環境に配置されたキャッピング機で行われ、キャップ７０は滅菌処理されないことが好ましい。 
【００８５】
キャップは、一体成形されたタンパーエビデント構造を備えており、これにより、充填されたパウチを最初に開封する際にその証拠を視認できる。スパウト本体は、一つ以上の一体成形されたタンパーエビデント構造を備えており、キャップのタンパーエビデント構造と協働することで、充填されたパウチを最初に開封する時に、充填されたパウチを最初に開封する際にその証拠を視認できる。
【００８６】
下記で詳しく説明するように、キャップ７０の組立は、キャップ本体をプラグ５０の上にかぶせることでネックとキャップのスカートのキャップ接続構造の協働を起こし、プラグとキャップのスナップフィット構造の係合も起こすステップを含む。後者がプラグをキャップに結合するのに対し、協働キャップコネクタ構造はキャップをネックに結合する。
【００８７】
プラグ５０とキャップ７０の間のスナップフィット結合は、キャップを手動開封する際、プラグがキャップに結合されたままで、キャップと共に外されることで製品流路を開き、充填されたパウチからの流動製品の供給を行うことを可能とするように形成されている。
【００８８】
図６〜図１３を参照すると、スパウト２０およびプラグ５０の詳細、およびスパウト２０およびプラグ５０の間の密封協働を説明する。
【００８９】
スパウト２０は、単一ピースとして適切なプラスチック素材で射出成形されたスパウト本体を備えている。
【００９０】
スパウト本体は、その下端にパウチに接続する接続部２１を有し、スパウト本体はパウチ本体に、例えば、ヒートシール方式で取り付けられるよう適合されている。スパウト本体は上端に筒状のネック２２を有する。
【００９１】
図示した接続部２１は、その端部でパウチ１０の対向するパネルまたは壁の間に固定するよう適合されている。別の実施形態において、接続部２１は、スパウトの垂直軸に垂直な平面において環状平面フランジとして構成され、このフランジは、パネルの口の上にパウチの前記パネルにスパウトを固定するよう適合されている。 
【００９２】
図示する接続部２１は、垂直方向に離間された一連のリブを有し、この例ではリブを四つ備えている。別の実施形態において、この部分は三つのリブを備えてもよく、例えば、下部フランジ３０の長い辺それぞれに沿って中心的に配置された、例えば前記フランジ３０の下面に下方に突出するボスを備えることを可能とする。このようなボスは、搬送装置、例えば、充填機のレールに沿ってスパウトが移送される際の揺れを防止できる。
【００９３】
ネック２２の内面２３は、下部の製品流路口２５からスパウト本体を通り、ネックの上部にある口２６に延びる製品流路２４の一部を区切る。ネックはさらに外面２７を有する。
【００９４】
ネックの上部の外面は、プラグ５０の外部環状壁の内側で、対応する密封面との密封状態を構築するよう適合された、環状密封面２７ａを構成する。
【００９５】
密封面２７ａの下に、スパウト本体のネックの外面には、一体成形された第一キャップ接続構造が提供され、ここではねじ山２８として構成されている。ねじ山２８は、ここに示すような一つの全ねじ、二条ねじ、溝ねじ、またはその他のタイプである。
【００９６】
一体成形された第一キャップ接続構造２８の下、および接続部２１の上に、スパウト本体は、ネックの周りに延びる上部と下部のフランジ２９、３０のペアを有する。当該分野で周知の通り、そのようなフランジは、スパウト付きパウチ１の移送、例えば、充填機上での過程において使用でき、例えば、ネックの反対側にフランジ２９、３０の間にある充填機の誘導構造の支持を受けて誘導される。
【００９７】
上部と下部のフランジ２９、３０の中間にあるネックの一部分は、例えば、ネックを充填機のガイドスロットに誘導することを可能とするために、正反対の場所に、一組の平行垂直ガイドフェイス３１、３２が提供されている。
【００９８】
上部フランジ２９の上に、ここではネックに対して正反対の場所に、スパウト本体は一体成形されたタンパーエビデント構造３３、３４を備えており、これらは上部フランジから持ち上げられ、スパウト本体のネックに隣接する。
【００９９】
プラグ５０は、プラスチック素材で形成されているプラグ本体を有することが好ましい。
【０１００】
図示した実施例において、プラグ本体は、上部５１と、スパウトの筒状のネック２０の上部の上にかぶせるように適合された、下方に向けて延びる外部環状壁５２を備えている。
【０１０１】
外部環状壁５２は、環状密封表面５４を構成する内面５３を有し、ここでは壁５２の下端に近接する、内側に突出するシールビードとして構成されている。プラグ５０がネックに取り付けられる時、シールビード５４はネックの上部にある密封面２７ａと密封シールを構築する。図示するように、プラグ５０がネックに押し込まれる際にシールビードは多少膨張することが想定されている。プラグとネックの間のこの単一の密封は、パッケージ包装された流動製品の品質と貯蔵寿命を確保する上で十分にパウチを閉鎖することが想定されている。そのため、プラグとネックの間とは、他の場所、例えば、キャップとネックの間にさらなる密封が存在しないことが好ましい。 
【０１０２】
プラグ本体はさらに、一体成形された内部環状壁５５を有し、この内部環状壁は外部環状壁と同軸または同心的であり、プラグ本体の上部から下方に向けて延びる。 
【０１０３】
内部環状壁５５は、プラグ５０が取り付けられた際にプラグ５０をネックに対して中心部に導く機能が備わることが想定されている。この点を考慮した場合、壁５５は、外部環状壁５２を覆って下方に向けて延び、これにより、シールビード５４がネックと係合する前に壁はネックに導入される。ネックへの導入を強化するために、内部環状壁は、面取りされた下端を外面に有する。プラグ保持構造２１０の上への配置を補強するために、さらに面取りされた端が内部に設けられている。一つの潜在的なデザインにおいて、プラグ５０のネックへの配置を向上させるために、外面の面取りは内部の面取りよりも相当に大きい、例えば、より大きく面取りがされている。壁５５の長さもまた、図示する実施例に関して、変更、例えば、より長くすることが可能である。
【０１０４】
プラグがネックの上部に取り付けられている時、内部環状壁５５は、ネックの内面に摩擦係合する。図示するように、プラグ本体の内部と外部の環状壁は、その間に下方向に開いている環状の溝を画定し、プラグがネックの上部の上に取り付けられている時に、溝にネックの上部が受け入れられる。
【０１０５】
図示する実施形態において、壁５５の外面には交互に配列されたリブ５６と溝が提供され、軸方向に延びて、リブ５６はスパウト本体のネックと摩擦係合する。リブの下端は面取りされており、スパウトのネックへの導入が補強される。
【０１０６】
プラグ本体の上部は、上部壁５７で構成されており、上部壁の外周は、周辺および半径方向に延びる前記上部ショルダ５８を形成し、上部は上部ショルダ５８の下に周辺溝５９を形成する。 
【０１０７】
より詳しく説明すると、この実施例において、上部壁５７は壁６０に直接接合されており、内部環状壁５５の延長部分を形成する。溝５９の下の円形フランジ６１も、プラグの上部の一部を形成する。外部環状壁５２は、このフランジ６１の外周の上部で隣接する。
【０１０８】
図２を参照すると、一つの周辺溝５９が上部の周りに延び、この溝はさらに、プラグ５０を充填機のプラグ取り外しおよび再装着デバイス２００に結合する機能も果たすことが想定されている。 
【０１０９】
下記に説明するように、上部ショルダ５８は、溝５９の区切りを定めるだけではなく、プラグ本体がキャップ７０に取り付けられる手段によるスナップフィット構造としても機能する。キャップのスナップフィット構造の一つ以上が周辺溝に延び、プラグ本体の上部ショルダ５８の下に係合することが説明される。
【０１１０】
図１３〜図１７を参照すると、キャップ７０の詳細、およびプラグ５０とのスナップフィット協働の詳細を説明する。
【０１１１】
キャップは、熱可塑性素材で射出成形されたキャップ本体を有する。
【０１１２】
キャップ本体は、外周７２を持つ上部壁７１を有する。環状スカート７３は、外周から下方に向けて延びる。下端で、キャップには、スカートの下に一体成形されたタンパーエビデント構造が提供され、充填されたパウチの最初の開封を視認することを可能とする。
【０１１３】
キャップ本体は、スカート７３に一つ以上の窓口７４を備えている。ここでは、上部壁７１の真下に正反対の位置に二つの窓口７４がある。窓口７４は、スカート７３に周方向の細長いスロットとして構成されるのが好ましい。
【０１１４】
環状スカート７３は内面７５を有し、キャップ７０の内部空洞を定める。その上部部分において、キャップ５０が受け入れられる。口のキャップ受入部分の下に、キャップ７０の内面の一部に一体成形された第二キャップ接続部分が提供され、ここではねじ山７６として構成されている。
【０１１５】
キャップ本体の内面７５のキャップ受入部分は、キャップ７０がネックに固定されたプラグ５０の上に押し込まれる時に、スナップフィット式係合でプラグ５０と結合するよう適合された、一体成形されたスナップフィット構造７８を備える。
【０１１６】
この実施例において、スナップフィット構造７８は、内側に突出する周辺スナップフィットレッジ７８として構成されており、一つ以上の窓口７４、ここでは、一つ以上の細長いスロット窓口７４の真下に配置されることが好ましい。
【０１１７】
図１８を参照すると、スナップフィット構造７８はプラグ５０の上部の溝にはめ込むように、またプラグ５０の上部ショルダ５８の下に係合するように適合されている。このスナップフィットは、ユーザーがスパウト付きパウチを開封する際に結合が維持されるように形成されている。
【０１１８】
図示するように、キャップ７０の口のプラグ受入部分の内径は、プラグ５０の外部環状壁５２が径方向の遊びを有して受け入れられ、これにより、キャップ７０をプラグ５０の上に取り付けることでプラグの密封機能が損なわれないようにすることが好ましい。
【０１１９】
図示するように、キャップとプラグの間のスナップフィット構造７８、５８の間の係合は、プラグの外部環状壁から離れており、これにより、キャップ７０をプラグ５０の上に取り付けることでプラグの密封機能は損なわれない。
【０１２０】
図示するように、キャップ７０のねじ山部分の内径は、プラグ５０の外径より大きく、これにより、キャップのねじ山部分がプラグを不当に妨害することなくキャップ７０をプラグにかぶせることが可能となる。
【０１２１】
図示するように、また好ましくは、キャップの上部壁７１は、プラグ５０の上面を完全に覆い、これにより、上からプラグにアクセスすることはできない。
【０１２２】
図１８は、プラグ本体の外部環状壁５２の外径が筒状のネック２２のねじ山の小径より小さいことも示す。特に、ネックは、少なくともその一部分にねじ山が位置付けられた、円錐形の部分を含む。
【０１２３】
キャップ本体はさらに、キャップ本体の垂直中心面から延び、上部壁７１の上そしてスカート７３の外面に沿って延びる、垂直パネル７９も備えている。一体成形されたしるしを備えうるこのパネルは、効果的にキャップ本体を補強し、ユーザーによるグリップを向上させる。図１８から理解できるように、この補強は、キャップとプラグ本体との間のスナップフィットを考慮した場合に利点となる可能性がある。
【０１２４】
図１８は、プラグ５０のシールビード５４とスパウトのネックの外面の間の密封は、パウチの内部と大気との間の完全に組み立てられた閉鎖体に存在する実質的に唯一の密封であることも表す。望ましい場合、プラグとネックの間に、例えば、ネックの上部とプラグの間および／またはネックの内面とプラグの内部環状壁の間にさらなる密封を一つ以上構築することも可能である。しかし、説明されたように、ネックの外面への一つの密封を提供することは効果的かつ信頼性を十分備えているとみなされる。
【０１２５】
本明細書に図示する実施形態において、キャップ本体のタンパーエビデント構造およびスパウト本体の係合用タンパーエビデント構造は、WO2014007612に開示される通り構成されており、参照により本明細書に組み入れる。タンパーエビデント構造の設計は、下記で簡潔に説明するが、より詳しい情報は言及した先行技術に記載されている。
【０１２６】
キャップ本体７０は、スカート７３に一体成形されたタンパーエビデントリング８０を有する。タンパーエビデントリングは、二つのリングセグメントで構成されており、各リングセグメントは、ベース部分とインジケータ部分８１を備える。インジケータ部分８１は、隣接する他のリングセグメントのベース部分の終端部に、一体成形された壊れやすいブリッジ８２を通して、その先端部で接続される。ここでは上部フランジ２９の各部分の上面にあるスパウト２０は、タンパーエビデントリングの各リングセグメント３１に対する回転防止ボス３３、３４を備える。このボス３３、３４は、セグメントのインジケータ部分８１の対応する先端部により係合するように配置されている。消費者がキャップ７０を閉鎖位置から開封方向に初めて回転すると、インジケータ部分８１の先端部がボス３３、３４と係合し、これにより、先端部がキャップの開封方向にさらなる動くことが阻止される。これが、壊れやすいブリッジ８２の破損を起こし、インジケータ部分８１は永久的に変形する。 
【０１２７】
より詳しく述べると、ボス３３、３４は、インジケータ部分８１の先端部を向くボスの側面に凹みのあるキャッチ部分を有し、前記キャップが閉鎖位置である時に、その終端部付近のベース部分の内面に沿って配置された、外面のあるキャッチ部分外壁を有する。インジケータ部分８１の先端部は、前記キャップが閉鎖位置である時に、隣接するベース部分の終端部から内径方向に内向きに離間して配置されており、これにより、消費者がキャップを閉鎖位置から開封方向に初めて回転する時に、インジケータ部分８１の先端部はキャッチ部分の凹みに入り、キャップの開封方向へのさらなる移動が阻止されつつ、その一方で、キャップをさらに開封方向に移動する場合には、キャッチ部分外壁は離間された先端部と終端部の間の空間に入り、前記先端部と終端部の壊れやすいブリッジ８２が破損し、インジケータ部分８１が歪み、曲がり、折りたたみ、たわみを受け、永久的に変形することになる。
【０１２８】
図示したタンパーエビデント構造は好ましい実施例の一つであり、多数の他のタンパーエビデント構造のデザインも可能であることを理解するべきである。タンパーエビデント構造は、キャップと一体成形されたそのすべての部分がキャップの一部として残り、スパウトに残らないことが好ましい。 
【０１２９】
タンパーエビデント構造は、少なくともタンパーエビデント構造が一つ以上の壊れやすいブリッジを破損するまで、プラグがスパウトのネックと密封接触を維持するように形成されていることが好ましい。これは、タンパーエビデントにより視認可能な証拠が提供されない限りは閉鎖の効力がないように、例えば、不注意にキャップを操作できないことを保証する。
【０１３０】
消費者製品では、消費者がパウチの閉鎖体の完全性を確認できるように、タンパーエビデント構造は重要な役目を果たすことが理解される。上記で説明するように、本発明の方法は、無菌パッケージ包装された製品についてもキャップに滅菌処理を施す必要がないという利点を提供する。
【０１３１】
図１９、２０は、キャップが組み立てられた状況を示す。実際には、キャップ７０はプラグの上に押し込まれ、キャップとスパウトの係合の間でねじ山によりさらに押し込まれる。後者は、当該分野で周知のねじ山の適切な設計を必要とする。また押し込みにより、キャップのタンパーエビデント構造が、スパウトの対応する構造３５に正しく位置付けられる。
【０１３２】
図１９に示すように、プラグ５０はキャップ７０の窓口７４から視認できる。これは、プラグの存在と正しい取付けの簡単な確認を可能とする。さらに、例えば、キャップとプラグが異なる色を持つ場合に、ビジュアル効果を生むことを可能とする。
【０１３３】
パウチが開封される時にプラグはキャップに残るため、消費者はプラグの存在をあまり気にかけない、または完全に無視でき、組立を普通のキャップとして使用する。消費者はさらに、プラグをキャップ内に保持したままで、キャップをスパウトのネックに再装着して、パウチを再度閉じることができる。プラグ５０は、本明細書で述べた密封機能を再び果たすことになる。
【０１３４】
上記に説明するように、締りばめプラグが外部環状壁に提供され、その外部環状壁の内面が、スパウトのネックの外面の対応する密封面と密封状態を構築する環状密封面を形成することが好ましい。 
【０１３５】
図２１、図２２は、本発明の方法のために使用される他のスパウト、プラグ、およびキャップの実施形態を表す。ここでは、同一または類似する部品や部分は、同じ参考番号にアポストロフィを追加して表現している。 
【０１３６】
締りばめ方式のプラスチックプラグ５０’は、スパウト２０’のネック２２’の内面の対応する密封面と密封状態を形成する内部環状密封面６３を備えている。プラグ５０’は外部環状壁を持たない。 
【０１３７】
プラグ５０’の上部には、スパウトが閉鎖されている時に、スパウトのネックの上部に隣接する周辺ショルダ６４を有する。上部の直径は、ネックの上部の直径と最大限でも同じかそれ以下である。
【０１３８】
示すように、プラグ５０は、スナップフィット構造７８’と５８’によってキャップ７０’に接続されている。プラグ５０’は、例えば、プラグ取り外しおよび再装着デバイス２００との係合を可能とする、溝５９’も有することが好ましい。
【０１３９】
図２３は、本発明の方法と使用できる他のスパウト、プラグ、およびキャップのなおも別の実施形態を表す。ここでは、同一または類似する部品や部分は、同じ参考番号にアポストロフィを追加して表現している。
【０１４０】
締りばめプラスチックプラグ５０’’は、スパウト２０’のネック２２’の内面の対応する密封面と密封状態を形成する内部環状密封面６３’’を備えている。プラグ５０”は外部環状壁を持たない。 
【０１４１】
プラグ５０’’の上部は、スパウトが閉鎖されている時にスパウトのネックの上部に隣接する周辺ショルダ６４を有する。上部の直径は、ネックの上部の直径と最大限でも同じかそれ以下である。
【０１４２】
示すように、プラグ５０’’はスナップフィット構造７８’’と５８’’によりキャップ７０’’と接続されている。プラグ５０’’は、例えば、プラグ取り外しおよび再装着デバイス２００との係合を可能とする、溝５９’’も有することが好ましい。
【０１４３】
示すように、プラグ本体は、内部環状壁６３’の下端に隣接する、ドーム部分６５または類似した部分を備える。プラグがネックに配置される時、ドーム部分はスパウトのネック内にさらに深く誘導される。
【０１４４】
図２４は、流動製品をスパウト付きパウチに無菌包装する、本発明の方法の実施形態を図示するフローチャートである。
【０１４５】
第一ブロック３００は、パウチ本体１０を製造するステップと、パウチ本体にスパウトおよび未充填のパウチを密封するプラグ５０を提供するステップを表す。閉鎖されたスパウト付きパウチは、例えば、スパウトのフランジ間で係合するＣ型レールのフランジを備える移送レールに配置されることが好ましい。
【０１４６】
第二ブロック３０１は、プラグ５０により密封された空のスパウト付きパウチが事前滅菌処理、例えば、放射線処理を受けることを表す。スパウト付きパウチは、この段階において、例えば、箱および／またはプラスチック製バッグなどの移送用エンベロープにパッケージ包装されたパウチが多数のレールに載せられている状態で、移送レールで受け取られることが好ましい。
【０１４７】
アウトライン３０２は、充填機を非常に概略的に示し、アウトライン３０３は、例えば、滅菌ガスの陽圧気流が維持されている前記充填機内の無菌環境を非常に概略的に示す。上記で説明したように、パウチ全体がこの環境を通過することが可能である。別の実施形態においては、プラグとスパウトの部分のみ、またはスパウトの一部のみが、無菌ゾーンを通過する。説明したように、スパウト付きパウチは、プラグが取り外され、パウチが充填され、プラグが再装着される無菌室へ移送される前に、全ての外面を滅菌するために、例えば、過酸化水素などで充満された滅菌霧室またはトンネルを通過することも可能である。
【０１４８】
第三ブロック３０４は、無菌環境内での、好ましくは、例えば、単純な持上げ作業により、プラグ５０をネックから取り外すステップを表す。説明するように、前記無菌環境内において、専用の保持構造によりプラグが一時的に保持されることが好ましい。
【０１４９】
第四ブロック３０５は、無菌環境内での、例えば、充填ノズル２１０により、開かれたパウチを充填するステップを表す。
【０１５０】
第五ブロック３０６は、無菌環境内でネックにプラグを再装着するステップを表す。上記のように、シールビード５４が充填されたパウチの密封を保証する。
【０１５１】
アウトライン３０７は、キャッピング機を非常に概略的に表し、キャッピング機は無菌環境の外に設置されている。キャッピング機は、充填機の直接下流に位置することが好ましい。この実施形態において、キャッピング機と充填機はフレームを共有し、統合された充填機およびキャッピング機として構成されている。
【０１５２】
第六ブロック３０８は、キャップ７０の組立を表し、キャップ７０は、プラグに適切な方法でかぶせられており、さらにスパウト２０に押し込められる。説明したように、このキャッピングプロセスにおいて、キャップはプラグ５０にスナップフィットし、キャップおよびスパウトのねじ山または他のキャップ接続構造が係合する。さらに、同じプロセスにおいて、キャップのタンパーエビデント構造はスパウトの係合構造に対応して位置付けられる。
【０１５３】
第七ブロック３０９は、消費者に販売する準備が整った、充填されかつキャップが取り付けられたパウチを取り出すステップを表す。
【符号の説明】
【０１５４】
１  スパウト付きパウチ
１０  パウチ本体
２０  スパウト
５０  締りばめプラグ
２００  プラグ取り外しおよび再装着デバイス
２１０  プラグ保持構造
２２０  充填ノズル
７０  キャップ
２１  接続部
２２  筒状のネック
２９、３０  フランジ
２４  製品流路
２８  ねじ山
３３、３４  タンパーエビデント構造
５９  溝
７３  環状スカート
７４  窓口
７８  スナップフィット構造
【図１】
2020055647.tif 000003
【図２】
2020055647.tif 000004
【図３】
2020055647.tif 000005
【図４】
2020055647.tif 000006
【図５】
2020055647.tif 000007
【図６】
2020055647.tif 000008
【図７】
2020055647.tif 000009
【図８】
2020055647.tif 000010
【図９】
2020055647.tif 000011
【図１０】
2020055647.tif 000012
【図１１】
2020055647.tif 000013
【図１２】
2020055647.tif 000014
【図１３】
2020055647.tif 000015
【図１４】
2020055647.tif 000016
【図１５】
2020055647.tif 000017
【図１６】
2020055647.tif 000018
【図１７】
2020055647.tif 000019
【図１８】
2020055647.tif 000020
【図１９】
2020055647.tif 000021
【図２０】
2020055647.tif 000022
【図２１】
2020055647.tif 000023
【図２２】
2020055647.tif 000024
【図２３】
2020055647.tif 000025
【図２４】
2020055647.tif 000026
【外国語明細書】
2020055647000001.pdf